(57)【要約】【課題】ユーザによる行末から行頭へのカーソル移動操作を軽減する。【解決手段】ＣＰＵ２３０は復帰先画面状態記憶指示の入力があると判断された時点で表示画面２１１に表示されている部分領域である復帰先部分の状態に関する復帰先状態情報をＲＡＭ２３１に記憶する。ＣＰＵ２３０は、画面状態復帰指示の入力に応じて、記憶されたＲＡＭ２３１の復帰先状態情報に従って画像の部分領域を表示画面２１１に表示する。つまり、表示画面２１１は、ユーザ指示に応じて復帰先状態情報が記憶されたときの表示状態と同一の表示状態に復帰する。【選択図】  図３
2011076381.tif 000002
【特許請求の範囲】
【請求項１】
画像の部分的な表示箇所に関する移動指示、復帰場所記憶指示および復帰指示を含む入力指示を受け付ける操作部と、
前記操作部が前記移動指示を受け付けたことに応じて前記画像の所望の部分領域を逐次移動して所望の状態で表示する表示部と、
前記操作部が前記復帰場所記憶指示を受け付けたことに応じ、前記復帰場所記憶指示の入力が受け付けられた時点で前記表示部に表示されている画像の部分領域である復帰先部分の状態に関する復帰先状態情報を記憶する記憶部と、
前記操作部が前記復帰指示を受け付けたことに応じ、前記記憶部に記憶された復帰先状態情報に従い前記復帰先部分を表示するよう前記表示部を制御する制御部と、
を備える画像表示装置。
【請求項２】
前記操作部は復帰取消指示を受け付け、
前記記憶部は前記操作部が前記復帰指示を受け付けたことに応じ、前記復帰指示の入力が受け付けられた時点で前記表示部に表示されている画像の部分領域である復帰元部分の状態に関する復帰元状態情報を記憶し、
前記制御部は前記操作部が前記復帰取消指示を受け付けたことに応じて前記記憶部に記憶された復帰元状態情報に従い前記復帰元部分を表示するよう前記表示部を制御する請求項１に記載の画像表示装置。
【請求項３】
前記復帰先状態情報は、前記画像における前記復帰先部分の位置座標、前記復帰先部分の表示サイズ、前記画像に対する前記復帰先部分の拡大ないし縮小率のうち少なくとも１つを含む請求項１に記載の画像表示装置。
【請求項４】
前記復帰元状態情報は、前記画像における前記復帰元部分の位置座標、前記復帰元部分の表示サイズ、前記画像に対する前記復帰元部分の拡大ないし縮小率のうち少なくとも１つを含む請求項２または３に記載の画像表示装置。
【請求項５】
情報処理装置が、
画像の部分的な表示箇所に関する移動指示、復帰場所記憶指示および復帰指示を含む入力指示を受け付けるステップと、
前記移動指示を受け付けたことに応じて前記画像の所望の部分領域を逐次移動して所望の状態で表示するステップと、
前記復帰場所記憶指示を受け付けたことに応じ、前記復帰場所記憶指示の入力が受け付けられた時点で表示されている画像の部分領域である復帰先部分の状態に関する復帰先状態情報を記憶するステップと、
前記復帰指示を受け付けたことに応じ、前記記憶された復帰先状態情報に従い前記復帰先部分を表示するよう前記表示部を制御するステップと、
を実行する画像表示方法。
【請求項６】
請求項５に記載の画像表示方法を情報処理装置に実行させるための画像表示プログラム。
【発明の詳細な説明】
【技術分野】
【０００１】
本発明は、画像の表示部分の移動および復帰に関する。
【背景技術】
【０００２】
特許文献１では、携帯端末のような小さな画面には収まり切らない長さの文章を閲覧する場合の移動操作の煩雑性、複数段からなる文章において、段末から段頭への移動が手間になることについて指摘している。そして、文章を事前に解析して段や行を閲覧する順番を決めておき、その順番に沿って画面の移動制御を行う。
【０００３】
特許文献２では、フレームのページ内の一つのフレームを操作するための操作画面が表示されている状態で、表示中のフレームとは異なるページ内のフレームについて生じる変化が、ユーザが明示的に異なるフレームを見たいと意図するものとみなされる条件を満たす動作に基づく変化であるか否か判定し、判定により条件を満たす動作に基づく変化であると判定される場合に、ページが全体表示され且つ変化が生じているフレームが通知される画面の表示に移行する、とする。また、拡大表示の状態におけるスクロール位置およびフォーカス位置、あるいはスクロール位置とフォーカス位置のどちらか一方が記憶され、再び同じフレームの拡大表示に戻ったときにフォーカス位置の復帰が行なわれる、とする。
【先行技術文献】
【特許文献】
【０００４】
【特許文献１】特開２００７−２５６５２９号公報
【特許文献２】ＷＯ２００５／１０６６２８
【発明の概要】
【発明が解決しようとする課題】
【０００５】
携帯端末の普及と処理能力の向上に伴い、パソコンで作成された文書を携帯端末で閲覧することが広く行われるようになっている。パソコンでは解像度や画面面積が十分なために、日常よく使用されるＡ４サイズの文書などは何の支障もなく閲覧が可能である。しかし、携帯端末はパソコンに比べて解像度や画面面積が極めて小さいために、Ａ４サイズの文書ですら閲覧が面倒になる。これは、文書のレイアウトやアウトラインを理解するために縮小し個々の文章を読むために拡大するという操作を繰り返すためである。
【０００６】
また、個々の文書を読んでいるときも、多くの場合、画面の幅もしくは高さにより一行の長さが大きくなるため、行に沿っての画面移動が必要になる。さらに、文書は複数の行に分かれているので、画面位置が行末に達した後は次の行の行頭に画面を移動させなければならない。長い文章を読む際は、この行末から行頭への移動の回数が増え、ユーザにとって操作の負担感が急速に増大する。
【０００７】
特許文献１では、事前に文章を解析する手段が必要となるほか、文章以外に画像が含まれた文書では、画像部分に移動できないという問題が生じる。特許文献２はフォーカスを戻すだけで、ユーザの行頭に戻る指示を逐一行う負担は軽減されない。本発明では、ユーザによる行末から行頭へのカーソル移動操作を軽減する。
【課題を解決するための手段】
【０００８】
本発明は、画像の部分的な表示箇所に関する移動指示、復帰場所記憶指示および復帰指示を含む入力指示を受け付ける操作部と、操作部が移動指示を受け付けたことに応じて画像の所望の部分領域を逐次移動して所望の状態で表示する表示部と、操作部が復帰場所記憶指示を受け付けたことに応じ、復帰場所記憶指示の入力が受け付けられた時点で表示部に表示されている画像の部分領域である復帰先部分の状態に関する復帰先状態情報を記憶する記憶部と、操作部が復帰指示を受け付けたことに応じ、記憶部に記憶された復帰先状態情報に従い復帰先部分を表示するよう表示部を制御する制御部と、を備える画像表示装置を提供する。
【０００９】
操作部は復帰取消指示を受け付け、記憶部は操作部が復帰指示を受け付けたことに応じ、復帰指示の入力が受け付けられた時点で表示部に表示されている画像の部分領域である復帰元部分の状態に関する復帰元状態情報を記憶し、制御部は操作部が復帰取消指示を受け付けたことに応じて記憶部に記憶された復帰元状態情報に従い復帰元部分を表示するよう表示部を制御する。
【００１０】
復帰先状態情報は、画像における復帰先部分の位置座標、復帰先部分の表示サイズ、画像に対する復帰先部分の拡大ないし縮小率のうち少なくとも１つを含む。
【００１１】
復帰元状態情報は、画像における復帰元部分の位置座標、復帰元部分の表示サイズ、画像に対する復帰元部分の拡大ないし縮小率のうち少なくとも１つを含む。
【００１２】
本発明は、情報処理装置が、画像の部分的な表示箇所に関する移動指示、復帰場所記憶指示および復帰指示を含む入力指示を受け付けるステップと、移動指示を受け付けたことに応じて画像の所望の部分領域を逐次移動して所望の状態で表示するステップと、復帰場所記憶指示を受け付けたことに応じ、復帰場所記憶指示の入力が受け付けられた時点で表示されている画像の部分領域である復帰先部分の状態に関する復帰先状態情報を記憶するステップと、復帰指示を受け付けたことに応じ、記憶された復帰先状態情報に従い復帰先部分を表示するよう表示部を制御するステップと、を実行する画像表示方法を提供する。
【００１３】
本発明はこの画像表示方法を情報処理装置に実行させるための画像表示プログラムを提供する。
【発明の効果】
【００１４】
本発明によると、ユーザが広範囲に渡って画像に記述された文章を部分的に表示して表示箇所を移動する際、ユーザの指示に応じて表示中の部分領域から画面の復帰先を自由に選んで記憶し、かつユーザの指示に応じて記憶された部分領域の表示に戻すことで、ユーザの画面表示の復帰操作の負担を軽減することができる。
【図面の簡単な説明】
【００１５】
【図１】画像提供システムの概略構成図
【図２】携帯端末の構成を例示した図
【図３】第１実施形態に係る画像表示復帰処理のフローチャート
【図４】画像および部分領域の一例を示す図
【図５】第２実施形態に係る画像表示復帰処理のフローチャート
【発明を実施するための形態】
【００１６】
＜第１実施形態＞
図１は本発明の好ましい第１実施形態に係る画像提供システムの概略構成を示す。このシステムは、画像蓄積サーバ１、画像配信サーバ２、携帯電話３、プリンタ４を含む。画像蓄積サーバ１と画像配信サーバ２はＬＡＮやインターネットなどの各種ネットワークで接続されている。また、画像配信サーバ２と携帯電話３は移動体電話通信網などの各種ネットワークで接続されている。また、携帯電話３とプリンタ４は、赤外線通信などの各種ネットワークで接続されている。
【００１７】
画像蓄積サーバ１および画像配信サーバ２は、コンピュータで構成され、ＣＰＵ、メモリ（ＲＡＭ，ＲＯＭ）、ＨＤＤ、通信ユニット、データ入出力回路、表示回路、操作装置などを備える。
【００１８】
画像配信サーバ２が、携帯電話３からの所望の画像の配信要求に基づき、ネットワーク経由で当該画像の配信を画像配信サーバ２に要求すると、画像配信サーバ２はネットワーク経由で当該画像の送信を画像蓄積サーバ１に要求する。
【００１９】
画像蓄積サーバ１は、画像配信サーバ２から当該要求を受信すると、要求で示された画像の識別情報（ハイパーリンク、画像ファイル名など）に対応する圧縮記録画像を画像データベース１ａから取得し、この画像を画像配信サーバ２に送信する。圧縮記録画像は、ＪＰＥＧ、ＪＰＥＧ２０００、ＭＰＥＧ（動画）などの圧縮方式に従い、オリジナル画像データが複数領域に分割されて個別に圧縮処理を施された圧縮画像データである。ＪＰＥＧ圧縮の場合、オリジナル画像データを離散コサイン変換（ＤＣＴ）し、ビット配分を決定して量子化を行う。ベースライン方式の場合、量子化データをハフマン符号化により符号化して符号化データを得る。ＪＰＥＧ２０００圧縮の場合、オリジナル画像データを離散ウェーブレット変換（ＤＷＴ）し、量子化およびEBCOT方式によるエントロピー符号化を行う。
【００２０】
画像配信サーバ２は、画像蓄積サーバ１から受信した画像を携帯電話３に送信する。携帯電話３は、受信した画像の全体あるいは一部を表示画面２１１に表示したり、プリンタ４に転送したりできる。
【００２１】
図２は携帯電話３の内部構成を示すブロック図である。この携帯電話３は、ＣＰＵ２３０でその全体が制御されるように構成されている。このＣＰＵ２３０には揮発性のメモリであるＲＡＭ２３１、不揮発性のメモリであるＲＯＭ２３２、表示画面２１１を備えた表示部２３３、操作キー２２１、書き換え可能な不揮発性のメモリである書き換え可能ＲＯＭ２３４および電源部２３５が配備されている。
【００２２】
ＲＯＭ２３２には、ＣＰＵ２３０で実行されるプログラム等が記憶されており、また、書き換え可能ＲＯＭ２３４には、画像配信サーバ２からパケット通信によりダウンロードされたプログラムが記憶され、そのＲＯＭ２３２や書き換え可能ＲＯＭ２３４に記憶されたプログラムがＣＰＵ２３０で実行されることにより、この携帯電話２００の各部の動作が制御される。
【００２３】
ＲＡＭ２３１は、ＣＰＵ２３０で実行されるプログラムの作業領域として利用される他、この携帯電話２００で取り扱われる画像データの画素数の設定値や画像データ等の格納領域として利用される。
【００２４】
表示部２３３は、表示画面２１１を有し、ＣＰＵ２３０の指示に応じてこの表示画面２１１にＲＡＭ２３１の画像を表示する。
【００２５】
表示画面２１１のアスペクト比は任意であり、例えば４：３、１６：９である。また表示画面２１１の解像度は任意であり、例えば３２０×１８０、３２０×２４０、６４０×４８０、１０２４×７６８、１２８０×７６８、１９２０×１０８０などである。表示画面２１１のアスペクト比および解像度を示す情報はＲＯＭ２３２に記憶されている。
【００２６】
操作キー２２１およびタッチパネル２６０は、ユーザによる操作を受けその操作をＣＰＵ２３０に伝える役割りを担っている。操作キー２２１またはタッチパネル２６０が操作されると、ＣＰＵ２３０は、その操作に応じて各部を制御する。
【００２７】
電源部２３５には、電池（図示せず）が装填されその電池からの電力を、ＣＰＵ２３０や、そのＣＰＵ２３０からの指令を受けてこの携帯電話の各部に供給する。
【００２８】
また、この携帯電話２００には、電話機能を担う構成要素として、アンテナ２１３、送受信部２４１、信号処理部２４２、および通話部２４５が備えられている。この通話部２４３には、受話口２２２の内部に配備されたマイクロホン２４３ａと送話口２１２の内部に配備されたスピーカ２４３ｂが含まれている。
【００２９】
送受信部２４１は、アンテナ２１３での電波の送受信を担う回路要素であり、アンテナ２１３での電波受信により送受信部２４１で得られた信号は信号処理部に入力されて信号処理を受けて通話部２４３のスピーカ２４３ｂから音声として出力される。また、通話部２４３のマイクロホン２４３ａでピックアップされた音声は信号処理部２４２で信号処理を受け送受信部２４１を介してアンテナ２１３から電波として送信される。
【００３０】
また、この携帯電話２００はパケット通信機能も備えており、アンテナ２１３および送受信部２４１を介して受信したパケット信号は、信号処理部２４２で適切な信号処理を受けた後一旦ＲＡＭ２３１に格納され、あるいはダウンロードされたプログラムの場合は書き換え可能ＲＯＭ２３４に記憶され、操作キー２２１からの指示を受けたＣＰＵ２３０により、そのＲＡＭ２３１内のパケットデータが表示部２３３の表示画面２１１に表示され、あるいは書き換え可能ＲＯＭに記憶されたプログラムが実行される。携帯電話２００がパケット通信で受信するデータは何でもよく、例えば、圧縮記録画像データ、文字データ、音声データ、プログラムなどが挙げられる。
【００３１】
操作キー２２１で作成されたパケット通信文書等はその作成時点ではＲＡＭ２３１に一旦格納され、操作キー２２１からの送信指示に応じて信号処理部２４２に送られて送信用に信号処理を受け、送受信部２４１およびアンテナ２１３を介して電波として送信される。
【００３２】
さらに、この携帯電話２００には、撮影部２５１、画像処理部２５２、および赤外線通信部２５３が備えられている。
【００３３】
撮影部２５１には、撮影レンズ２１４および撮影素子２５１ａが備えられており、撮影レンズを経由して取り込まれた被写体が撮影素子２５１ａで提示されて画像信号が生成される。この撮影素子２５１ａで得られた画像信号は画像処理部２５２で処理されてＪＰＥＧやＪＰＥＧ２０００やＭＰＥＧなどの各種の規格に準拠したデジタル圧縮画像データに変換され、ＣＰＵ２３０を介して一旦ＲＡＭに格納され操作キー２２１の操作に応じて表示部２３３の表示画面２１１に表示され、あるいは、赤外線通信部２５３を介してプリンタ４などの外部機器に向けて送信される。また、この赤外線通信部２５３は、赤外線信号受信機能も備えており、送信した画像データがプリンタ４で受信された場合にプリンタ４から通信されてくる、画像データを受信したことを表わすアクノリッジ信号を受信する。
【００３４】
これにより、この携帯電話３では、プリンタ４に向けて画像データを送信してから所定時間以内にアクノリッジ信号を受信できたか否かにより、送信したこれらデータがプリンタ４で正しく受信されたか否かが認識することができる。
【００３５】
なお、ここでいう「携帯電話」とは、ノート型パソコンやＰＤＡやデジタルカメラなどの各種情報端末の一例にすぎない。また、赤外線通信部２５３を介してプリンタ４に送信する画像は、撮影部２５１に由来するものに限らず、画像配信サーバ２から送受信部２４１を介して受信した圧縮記録画像に由来する画像データでもよい。いずれの画像をプリンタ４に送信するかは操作キー２２１を介して任意に選択できる。
【００３６】
図３は携帯電話３の実行する画像表示復帰処理のフローチャートを示す。この処理を携帯電話３のＣＰＵ２３０に実行させるためのプログラムはＲＯＭ２３２などのコンピュータ読み取り可能な記憶媒体に記憶されている。この処理の前提として、携帯電話３のＣＰＵ２３０は、撮影部２５１あるいは画像配信サーバ２から受信した任意の静止画像Ｉ（例えば図４の画像Ｉ）の所望の部分領域（例えば図４のＩ１、Ｉ２またはＩ３）を表示画面２１１に表示しているとする。なお静止画像Ｉの内容は任意であり、その一部に動画を含んでいてもよい。どの画像のどの部分領域を表示するかは任意であり、操作キー２２１ないしその等価物（タッチパネル２６０やグラフィカルユーザインターフェースなど）からの表示範囲移動操作（スクロール操作など）で定まる。また表示部分の縦横サイズや倍率も操作キー２２１ないしその等価物からの倍率変更操作で任意に変更でき、ＣＰＵ２３０は操作キー２２１などから指定された縦横サイズや倍率に従って画像の一部をトリミングしたり拡大または縮小して表示する。
【００３７】
Ｓ１では、ＣＰＵ２３０は表示中の部分領域に対する復帰先画面状態記憶指示が入力されたか否かを判断する。ＣＰＵ２３０は当該指示が入力されたと判断した場合Ｓ２に進み、当該指示が入力されないと判断した場合Ｓ３に進む。この指示を入力する態様は任意であり、表示画面２１１に所望の部分領域が表示された状態での操作キー２２１の押圧による入力、タッチパネル２６０の押圧操作による入力などが考えられる。この指示を入力する操作キー２２１の種類は任意である。例えば、ＣＰＵ２３０は、ファンクションキー、テンキー、ＱＷＥＲＴＹキーのいずれかに復帰先画面状態記憶指示の入力キーの機能を割り当て、所望の部分領域が表示された状態で当該機能が割り当てられたキーが押下されたか否かで当該指示が入力されたか否かを判断する。あるいは、復帰先画面状態記憶指示の入力のみを受け付ける専用キーを設けておき、ＣＰＵ２３０は、所望の部分領域が表示された状態でこの専用キーが押下されたか否かで当該指示が入力されたか否かを判断する。
【００３８】
復帰先画面状態記憶指示を受け付ける手段は操作キー２２１でなくそれと等価なものでもよい。操作キー２２１の等価物の一例としては、タッチパネル２６０、タッチパッド、スクロールホイール、ＣＰＵ２３０が表示画面２１１に表示したアイコンやボタンその他のグラフィカルユーザインターフェースが挙げられる。
【００３９】
特に、表示画面２１１にタッチパネル２６０を積層した場合は、表示画面２１１の画面座標に対応する押圧位置を示す電気信号をＣＰＵ２３０に送ることで、キー操作と同様のユーザ指示をＣＰＵ２３０に送ることができる。ＣＰＵ２３０は、表示画面２１１に表示された部分領域上でのタッチパネル２６０に対するアクション、例えばシングルタップ、ダブルタップ、タップ＆ドラッグ（フリックアクション）を判別する。シングルタップとは単独の押圧位置の入力、ダブルタップとは２度の異なる押圧位置の入力、タップ＆ドラッグ（フリックアクション）とは最初に検知された押圧位置を起点に押圧位置がある別の位置まで連続的にスライドしたことを意味する。
【００４０】
典型的には、タッチパネル２６０を介した復帰先状態記憶指示は、表示画面２１１の部分領域に対するシングルタップで入力することができる。ユーザによるこの指示の入力動作は、携帯電話３の表示した部分領域を片方の手の指で抑えることを開始するような動作に類似する。なお、Ｓ１の判断は定期的に繰り返して行うことができる。
【００４１】
Ｓ２では、ＣＰＵ２３０は復帰先画面状態記憶指示の入力があると判断された時点で表示画面２１１に表示されている部分領域である復帰先部分の状態に関する復帰先状態情報をＲＡＭ２３１に記憶し、Ｓ１に戻る。復帰先状態情報は、画像全体における復帰先部分の位置座標、復帰先部分のサイズ、画像全体に対する復帰先部分の拡大ないし縮小率のうち少なくとも１つを含み、好ましくは全てを含む。復帰先状態情報は、ＲＡＭ２３１に単数記憶されていてもよいし複数記憶されていてもよい。
【００４２】
Ｓ３では、ＣＰＵ２３０は復帰先状態情報がＲＡＭ２３１に記憶されているか否かを判断する。ＣＰＵ２３０は復帰先状態情報が記憶されていると判断した場合はＳ４に進み、記憶されていないと判断した場合はＳ１に戻る。
【００４３】
Ｓ４では、ＣＰＵ２３０は画面状態復帰指示が入力されたか否かを判断する。ＣＰＵ２３０は当該指示が入力されたと判断した場合はＳ２に進み、当該指示が入力されないと判断した場合はＳ１に戻る。この指示を入力する態様は任意であり、復帰先部分以外の所望の部分領域が表示画面２１１に表示された状態での操作キー２２１の中の特定のキーの押圧による入力やタッチパネル２６０のダブルタップ操作による入力などが考えられる。タッチパネル２６０のダブルタップ操作による画面状態復帰指示の入力は、シングルタップ操作による復帰先状態記憶指示の入力とは別であるため、それぞれユーザの別の指で行うことができる。
【００４４】
ＣＰＵ２３０は、シングルタップ操作の復帰先状態記憶指示の入力後、そのシングルタップの押圧を継続した状態でシングルタップ操作を入力した場合に限って復帰先状態記憶指示があったと判断してもよい。
【００４５】
Ｓ５では、ＣＰＵ２３０は、画面状態復帰指示の入力があったと判断されたときに表示画面２１１に表示されていた部分領域である復帰元部分（ただし復帰先部分とは異なる）の表示状態に関する情報である復帰元状態情報をＲＡＭ２３１に記憶する。またＣＰＵ２３０は、画面状態復帰指示の入力に応じて、Ｓ２で記憶されたＲＡＭ２３１の復帰先状態情報に従って画像の部分領域を表示画面２１１に表示する。つまり、表示画面２１１は、Ｓ２で復帰先状態情報が記憶されたときの表示状態と同一の表示状態に復帰する。
【００４６】
Ｓ５でＲＡＭ２３１に記憶される復帰元状態情報は画像全体における復帰元部分の位置座標、復帰元部分のサイズ、画像全体に対する復帰元部分の拡大ないし縮小率のうち少なくとも１つを含み、好ましくは全てを含む。ただし、復帰先状態情報と復帰元状態情報の項目は統一されていなければならない。
【００４７】
Ｓ６では、ＣＰＵ２３０は画面状態復帰取り消し指示が入力されたか否かを判断する。ＣＰＵ２３０は当該指示が入力されたと判断した場合Ｓ７に進み、当該指示が入力されないと判断した場合Ｓ８に進む。この指示を入力する態様は任意であり、復帰元部分以外の所望の部分領域が表示画面２１１に表示された状態での画面状態復帰取り消し指示の入力キー押下、タッチパネル２６０への継続的な押圧操作の解放、復帰先画面状態記憶指示のキャンセル入力、ダブルタップ操作の後のシングルタップなどが考えられる。
【００４８】
Ｓ７では、ＣＰＵ２３０はＲＡＭ２３１の復帰元状態情報に従った画像の部分領域を表示画面２１１に表示する。つまり、表示画面２１１は、Ｓ５で復帰元状態情報が記憶されたときの表示状態と同一の表示状態に復帰する。そしてＣＰＵ２３０は復帰元状態情報をＲＡＭ２３１から消去し、Ｓ１に戻る。
【００４９】
Ｓ８では、ＣＰＵ２３０は復帰元状態情報をＲＡＭ２３１から消去し、Ｓ１に戻る。ＣＰＵ２３０は、Ｓ５にてシングルタップの押圧が継続されぬままダブルタップが入力されたと判断した場合、画面状態復帰取り消し指示が入力されたと判断し、復帰元状態情報をＲＡＭ２３１から消去してもよい。
【００５０】
図４は左横書きの文章を記述した画像Ｉの部分領域であるＩ１〜Ｉ３を操作キー２２１などへ入力された表示範囲移動指示操作に応じて表示している様子を示す。なお画像Ｉは当該文章を記述したＨＴＭＬファイルのキャプチャ画像や文書ファイルそのものとすることができる。ＣＰＵ２３０は、デフォルトで画面左上の部分領域Ｉ１を表示し、その後右方向へのスクロール操作が操作キー２２１などに入力されることに応じて部分領域Ｉ２、Ｉ３を逐次表示する。デフォルトの部分領域の位置は操作キー２２１などから任意に指定できてもよい。
【００５１】
もし、Ｉ３が表示されている状態で画面状態復帰指示が入力された場合、画面表示が即座にＩ３からＩ１に切り換わる。つまり、ユーザが広範囲に渡って画像に記述された文章を部分的に拡大表示して表示箇所を移動させつつ閲覧する際、携帯電話３はユーザの指示に応じて表示中の部分領域から所望の復帰先部分を自由に記憶し、かつユーザの指示に応じて記憶された復帰先部分の表示に戻すことで、ユーザの画面表示の復帰操作の負担を軽減することができる。また、携帯電話３はＩ１が表示されている状態で画面状態復帰取り消し指示が入力された場合、画面表示が即座にＩ１からＩ３に切り換えるので、画面の復帰の取り消しも可能である。
【００５２】
＜第２実施形態＞
第１実施形態の画像表示復帰処理のフローチャートにおいて、Ｓ６以降の処理を省略してもよい。図５はそのフローチャートを示す。Ｓ１１〜Ｓ１５はそれぞれＳ１〜Ｓ５と同様である。ただし、Ｓ１５では、Ｓ５と同様の処理の後Ｓ１１に戻る。
【００５３】
＜第３実施形態＞
Ｓ５またはＳ１５において、ＣＰＵ２３０は、復帰先情報に含まれる位置座標に完全に一致する位置の部分領域を表示するのではなく、復帰先情報に含まれる位置座標に、書き換え可能ＲＯＭ２３４に予め記憶された所定の補正値を加えた位置にある近傍の部分領域を表示してもよい。例えば、図４のような左横書きの文章の場合、Ｉ３が表示されている時点でユーザは１行分文書を読み進めていると考えられる。従って、ＲＡＭ２３１の復帰先情報に含まれる復帰先部分の位置座標を（Ｘ，Ｙ）とすると、ＣＰＵ２３０は、その位置座標（Ｘ，Ｙ）から文書一行分の縦方向表示サイズΔＹを加えた座標（Ｘ，Ｙ＋ΔＹ）に存在する近傍部分領域をＳ５またはＳ１５において表示してもよい。この表示の際の状態、すなわち表示サイズや倍率はＲＡＭ２３１の復帰先情報に従うものとする。こうすると、次にユーザが読み始めるであろう箇所が分かりやすく表示される。なお、ＣＰＵ２３０は、操作キー２２１などから所定の補正値を受け付け、受け付けられた補正値を書き換え可能ＲＯＭ２３４に設定してもよい。
【００５４】
また、操作キー２２１などからの入力操作に応じてＣＰＵ２３０が書き換え可能ＲＯＭ２３４に設定可能な復帰先情報の補正値は座標に関するものに限らず、表示サイズや倍率に関するものでもよい。つまり、実際に表示される復帰先部分は、ユーザが復帰先画面状態記憶指示があったときに表示されていた部分領域と完全に同一でなくてもよく、その部部分領域の近傍に存在する部分領域でもよい。
【符号の説明】
【００５５】
３：携帯電話、２２１：操作キー、２３０：ＣＰＵ、２３１：ＲＡＭ、２３３：表示部
【図１】
2011076381.tif 000003
【図２】
2011076381.tif 000004
【図３】
2011076381.tif 000005
【図４】
2011076381.tif 000006
【図５】
2011076381.tif 000007